(57)【特許請求の範囲】
【請求項１】
表面側に所定の配送情報記入部を有する貼付票と配達票とが切り取り部を境に連接されてなる配送票であって、少なくとも配達票の裏面側には、透視可能な透視層が剥離可能に接着されてなるとともに、貼付票及び前記透視可能な透視層の裏面側に粘着剤と剥離紙が設けられてなることを特徴とする配送品宛名部貼着用の配送票。
【請求項２】
表面側に所定の配送情報記入部を有する配送票の裏面側に透視可能な透視層が剥離可能に接着されてなるとともに、透視可能な透視層の裏面側に粘着剤が設けられてなる配送票が、封筒の宛名表示部に貼付されてなることを特徴とする封筒。
【請求項３】
請求項２の封筒において、配送票は、配達票であることを特徴とする封筒。
【請求項４】
請求項２の封筒において、配送票は、表面側に所定の配送情報記入部を有する貼付票と配達票とが切り取り部を境に連接されてなり、少なくとも配達票の裏面側には、透視可能な透視層が剥離可能に接着されてなるとともに、貼付票及び前記透視可能な透視層の裏面側に粘着剤が設けられて、該粘着剤を介して宛名表示部に貼り合わされていることを特徴とする封筒。
【発明の詳細な説明】
【０００１】
【産業上の利用分野】
本発明は、封筒を配送するに際して利用される配送票とその配送票を使用した封筒に関するものである。
【０００２】
【従来の技術】
従来、封筒の配送に際して、差出人の住所氏名や受取人の住所氏名、配送物に対する管理番号などの配送情報を記載した配送票を用いることがあり、その配送票と封筒とを対応付けし、配送票に記載されている前記配送情報に基づきながら配送が行われるようにしている。また、受領確認を得る必要がある場合、受取人が捺印やサインをする場所を配送票に設ける工夫もなされるようになってきている。
そして、上記封筒の配送に際してダイレクトメールのように特定の差出人から大多数の受取人へ封筒を送る形態を採るような場合、封筒の差出人側、或は配送業務者側で、プリンタにより上記配送情報が印字出力された配送票を予め封筒に貼り付けて前記配送票と封筒とを一体的なものとしておき、その封筒に貼り付けられた配送票の配送情報に基づいて配送業務を行うようにすることが考えられる。そして、従来の小荷物などの配送物とともにこれらの封筒も、配送作業員の手により個人や商店、会社などの受取人側に届けられるようにすることができる。
【０００３】
【発明が解決しようとする課題】
ところで、実際の配送業務、特に届け先を順に廻る配送作業員の作業手順などを理由として次の問題を検討する必要が生じる。即ち、前記配送作業員においては、配送物を届ける前に配送票を予め取り外し、これらの配送票を取りまとめながら配送ルート、配送時間などの手順を決定する段取としていることが多く、配送票の取り外しにより上記封筒自体から受取人側住所などの配送情報が判断できなくなるのは避けなければならない。そのため、封筒には前記配送票とは別個に同様の配送情報が設けられておく必要がある。
【０００４】
そこで、封筒に配送情報を直接、印字出力したり、窓開き封筒を使用して封入書類に記載した配送情報が判読できるようにすることになる。しかしながら、このように封筒に配送情報が記載されている部分が設けられていると配送票を貼り付ける部分が少なくなり、逆に配送票を貼り付ける部分を封筒上に確保すると、前記配送情報記載部が設けることができなくなるという不都合が発生していた。
なお、配送票の一部分を封筒に貼り付けるようにすることが解決策として考えられるかも知れないが、そのようにすると、上述した特定の差出人から大多数の受取人に封筒を送り出す場合、封筒に配送票を貼着する機械、封筒の送り先地域毎に振り分ける機械などに対するフィード適性が著しく悪くなる。特に配送票が一部分で貼着されていると破損、分離する可能性が大きくなり、よって配送票を全面的に貼着させておくことが条件とされている。
【０００５】
本発明は上記事情に鑑み、窓開き封筒も含めて封筒自体に配送情報記載部が設けられている封筒に対して、上記配送業務において利用する配送票を全面的に貼り付けることができるようにすることを課題とし、差出人側などでの差し出し作業の機械化に、配送票、及びその配送票を有する封筒を対応させるようにすることを目的とする。
【０００６】
【課題を解決するための手段】
本発明は上記課題を考慮してなされたもので、表面側に所定の配送情報記入部を有する貼付票と配達票とが切り取り部を境に連接されてなる配送票であって、少なくとも配達票の裏面側には、透視可能な透視層が剥離可能に接着されてなるとともに、貼付票及び前記透視可能な透視層の裏面側に粘着剤と剥離紙が設けられてなることを特徴とする配送品宛名部貼着用の配送票であり、この配送票を提供して上記課題を解消する。
【０００７】
さらに、表面側に所定の配送情報記入部を有する配送票の裏面側に透視可能な透視層が剥離可能に接着されてなるとともに、透視可能な透視層の裏面側に粘着剤が設けられてなる配送票が、封筒の宛名表示部に貼付されてなることを特徴とする封筒を提供して、上記課題を解消するものであり、その封筒の前記配送票は配達票とすることが好ましい。
加えて、封筒の前記配送票は、表面側に所定の配送情報記入部を有する貼付票と配達票とが切り取り部を境に連接されてなる配送票であって、少なくとも配達票の裏面側には、透視可能な透視層が剥離可能に接着されてなるとともに、貼付票及び前記透視可能な透視層の裏面側に粘着剤が設けられてなるものであることが好ましい。
【０００８】
【作用】
本発明の配送票では、透視可能な透視層の裏面側に粘着剤を有しているため、封筒の上面に貼着することができる。そして、前記配送票は、表面側に所定の配送情報記入部を有する貼付票と配達票とが切り取り部を境に連接されてなるものであり、少なくとも配達票の裏面側に剥離可能にして前記透視層を設けられているので、配送票の貼着後に前記配達票を剥離させると、その配達票があった位置の封筒表面が透視層を通して見えるようになる。
【０００９】
また、本発明の封筒は上記の配送票を用いたものであって、配送情報記入部に配送票が貼り付けられており、その配送票を剥ぎ取ることによって透視層が配送情報記入部に残り、前記透視層を通してその配送情報記入部を見ることができるようになる。これによって剥ぎ取られた配送票と封筒との何れからも配送情報が見ることができるようになる。そして、封筒に貼り付けられる前記配送票が貼付票と配達票との分離可能なものであり、少なくとも配達票がその裏面側に透視可能な透視層を備えたものであると、前述と同様に、配達票を剥ぎ取ると封筒の配送情報記入部が見え、配達票と封筒との何れからでも配送情報が確認できるようになる。
【００１０】
【実施例】
つぎに本発明を図１から図５に示す実施例に基づいて詳細に説明する。
図中１は後述する窓開き封筒の宛名部に貼付される配送票で、該配送票１は表面側に所定の配送情報記入部２を有する貼付票３と同じく表面側に所定の配送情報記入部４を有する配達票５とが、ミシン目、或いはスリットである切り取り部６を境に連接されたものである。そして図２に示すように、貼付票３および配達票５はその裏面側に透視可能な透視層７，８を配置してなるものであり、その透視層７，８は貼付票３、配達票５の裏面全域に位置している。前記透視層７，８には透明な樹脂フィルムが利用できるが、成形されたフィルム状のものに限定されるものではなく、樹脂膜から構成されるものであってもよい。さらに前記透視層７，８の裏面には粘着剤９が一連にして塗布され、その粘着剤９が剥離紙１０により剥離可能に覆われている。このように、前記貼付票３と配達票５、即ち配送票１は裏面に粘着剤９よりなる貼付手段を備えているため、封筒などの表面に貼付することができるものとなっている。
さらに、前記貼付票３と透視層７とは接着部１１を介して貼り合わされている（強接着）とともに、前記配達票５とその下位である透視層８とは、弱接着剤を用いたり或いは疑似接着を構成してなる剥離部１２を介して剥離可能に貼り合わされているものである。なお、前記疑似接着を達成するものとしては各種あるが、その一つとして、ポリエステル樹脂層（配達票側）／ポリエチレン樹脂層（疑似接着層）／ポリエステル樹脂層（透視層側、透視層そのものであってもよい）の層構成を有するフィルム構造を配送票中に構成することにより得られる。
【００１１】
上記貼付票３の配送情報記入部２、そして配達票５の配送情報記入部４には、差出人側住所氏名、受取人側住所氏名、配送物品名、配送業務管理などの配送業務に関して必要とされる情報が記載される。そして、これらの配送情報の内の特定の情報がバーコードなどの機械読取りできる符号情報としても記載されている。さらに、上記配達票５は配送物（後述の封筒）の受領確認を得る役割をも果たすものであり、表面の一部分に受領印受け部１３が設けられている。このように受領印受け部１３に対して受取人からのチェック（捺印、サイン）を受けるようにするため、少なくとも前記受領印受け部１３の表面が印インク受容性や筆記特性を備えるものとなっている。よって、表面の少なくとも一部に印インク受容性や筆記特性を備えるようにすれば、配達票５の利用勝手が良好になる。
【００１２】
なお、上記配送票１において貼付票３は配送物（封筒）側に貼り付けられたまま受取人に渡るものであることから、図３に示すように、その貼付票３にあっては裏面側に粘着剤９を直接塗布してこれを剥離紙１０により剥離可能に覆うようにしたものとすることができる。さらに、配送形態により貼付票３自体が不要となる場合がある。これに応じて配送票全体を上記印インク受容性や筆記特性を有する配達票として構成するようにしてもよい。
【００１３】
図４においては上記配送票１を有する封筒１４が示され、その封筒１４は窓開き封筒の構造としたものである。封筒１４の宛名表示部１５は、片面側の所要個所を開口して透明フィルムを貼り付け、封筒内の書面に記載された受取人側住所氏名などの配送情報が表出する部分として設けられている。そして、この宛名表示部１５に上記配送票１が対応して貼り付けられており、配達票５を剥ぎ取ったときに封筒１４側に残る透視層８を通して宛名表示部１５の配送情報１６が見えるように設けられている。即ち、封筒側に残ることになる貼付票３に前記配送情報１６が隠れないように、配送票５の貼付位置と前記配送情報１６の位置とが対応している。なお、図中１７は、機械読取り符号（バーコードなど）を表出させる管理情報表出部である。
このように封筒１４は宛名表示部１５を覆うようにして上記配送票１を貼り合わせてなるものであることから、配送票１に記載された配送情報に基づいて配送業務が行えるとともに、配達票５を剥ぎ取った状態においてもその配達票５と宛名表示部１５に配送情報が現れ、いずれの情報に基づいても配送業務が行えるようになる。さらに、剥ぎ取った配達票１、即ち配達票５にて受取人から受領確認を得ることができ、これを配送作業者から回収して業務管理に利用できるようになる。
【００１４】
上記配送票１の封筒への貼付、発送に際しては差出人側などにおいて、例えばつぎのようにして行うことができる。予め書面が封入された多くの封筒（配送票未貼付）が情報読取り機器側に順次搬送される。そこで、前記書面に予め記載されて封筒の管理情報表示部に表れる管理情報を読取り、その管理情報に対応した配送管理情報をプリンタ機器により配送票に出力して、その配送票から剥離紙を剥ぎ取りながら対応する封筒の上記宛名表示部に貼り付けるようにする。そして、配送票が貼付された封筒が順次次工程に送られ、配送票に記載されている配送情報（機械読取り情報も含む）を読取り機械が読み取って、その情報に基づいて封筒を送り先ブロック（例えば北海道方面、東北方面などのような地域ブロック）ごとに自動的に振り分けるようにする。
このように発送に際する業務を自動化することによって人員を省くことができるが、その際、封筒の各種機械に対するフィード適正を良好にする必要であり、本実施例の封筒では配送票の裏面全面が封筒に貼り付けられるため、フィート適正を良好に保てるようになっている。
【００１５】
なお、上記実施例の封筒では宛名表示部が窓開き構造のものであるが、本発明はこの実施例に限定されるものではなく、封筒の表面に配送情報を直接出力させたり、配送情報を有するラベル片を貼付したりして宛名表示部を構成することも可能である。また、配送票自体も上述のように貼付票の裏面側に直接粘着剤が塗布されているものであったり、配送票全体が配達票を構成するものであってもよい。
【００１６】
【発明の効果】
以上説明したように、本発明の配送品宛名部貼着用の配送票は、表面側に所定の配送情報記入部を有する貼付票と配達票とが切り取り部を境に連接されてなり、少なくとも配達票の裏面側には、透視可能な透視層が剥離可能に接着されてなるとともに、貼付票及び前記透視可能な透視層の裏面側に粘着剤と剥離紙が設けられていることから、この配送票を例えば封筒の宛名表示部上に貼り付け、必要時に配送票を剥ぎ取るようにしても、封筒側に残る透視層を通して配送情報を確認することができ、剥ぎ取った配送票と封筒との対応付けが容易である。よって受取人に荷物を届ける配達作業員が配達前に剥ぎ取った配送票を纏めて管理し、その配送票に基づいて配送ルート、配送手順などを組み立てることができるようになる。そして、別個に受領用の帳票などを用意することなく、必要時に剥ぎ取れる配達票を配送物に一体的に貼付できるようになる。
【００１７】
また、さらにもう一つの発明における封筒は、表面側に所定の配送情報記入部を有する配送票の裏面側に透視可能な透視層が剥離可能に接着されてなるとともに、透視可能な透視層の裏面側に粘着剤が設けられてなる配送票が、封筒の宛名表示部に貼付されてなることを特徴とするものであることから、業務に必要な適正な広さの配送情報記入部そして宛名表示部を有することができ、配送情報の判読が容易になる。そして、前記配送票を剥ぎ取っても、封筒側に残る透視層を通して配送情報を確認することができ、剥ぎ取った配送票と封筒との対応付けが容易であり、よって受取人に荷物を届ける配達作業員が配達前に剥ぎ取った配送票を纏めて管理し、その配送票に基づいて配送ルート、配送手順などを組み立てることができるようになるなど、実用性に優れた効果を奏するものである。
【図面の簡単な説明】
【図１】  本発明に係る配送票の一実施例を示す説明図である。
【図２】  同じく一実施例を断面で示す説明図である。
【図３】  他の実施例の一つを断面で示す説明図である。
【図４】  本発明に係る封筒の一実施例を示す説明図である。
【図５】  一実施例における配達票を剥ぎ取った状態を示す説明図である。
【符号の説明】
１…配送票
２，４…配送情報記入部
３…貼付票
５…配達票
６…切り取り部
７，８…透視層
９…粘着剤
１０…剥離紙
１４…封筒
１５…宛名表示部
１７…管理情報表出部
【図１】
0003654453.tif 000002
【図２】
0003654453.tif 000003
【図３】
0003654453.tif 000004
【図４】
0003654453.tif 000005
【図５】
0003654453.tif 000006